(57)【要約】【課題】  出入口を開閉する引戸が該出入口を閉じた状態で戸尻側表面に近接して起立する中方立を有す引戸装置であって、この引戸と中方立との間に形成される隙間を塞ぐ為の隙間防止装置の提供。【解決手段】  中方立４の引戸側にはモヘア５を全長にわたって取付けることで上記隙間１０を塞ぐように構成し、上記モヘア５の先端部が湾曲して引戸面２７に接触するような長さとし、引戸１の開閉に伴ってスライドしてもモヘヤ５との間に擦れ音が発生しないように成る。【選択図】    図４
2016211307.tif 000002
【特許請求の範囲】
【請求項１】
出入口を開閉する引戸が該出入口を閉じた状態で戸尻側表面に近接して起立する中方立を有す引戸装置であって、この引戸と中方立との間に形成される隙間を塞ぐ為の隙間防止装置において、上記中方立の引戸側面にはモヘアを全長にわたって取付けることで上記隙間を塞ぐように構成したもので、上記モヘアの先端部が湾曲して引戸面に接触するような長さとしたことを特徴とする引戸の隙間防止装置。
【請求項２】
上記中方立に凹溝を全長にわたって設け、この凹溝には概略コ型断面のモヘアベースガイドを嵌め、モヘアは帯状の長尺材で構成したベース中央部に植毛され、このベースを上記モヘアベースガイドの両側板部から内側へ突出した押えリブによって設けた嵌合溝に嵌めて取付けた請求項１記載の引戸の隙間防止装置。
【請求項３】
上記両側板部の先端側が広がるように傾斜した請求項２記載の引戸の隙間防止装置。
【請求項４】
上記両側板部の先端に内側へ延びる先端リブを設けた請求項２、又は請求項３記載の引戸の隙間防止装置。
【請求項５】
上記両側板部の外側面をノコ歯状の凹凸面とした請求項２、請求項３、又は請求項４記載の引戸の隙間防止装置。
【請求項６】
上記両側板部の外側面に軟質樹脂を設けた請求項２、請求項３、請求項４、又は請求項５記載の引戸の隙間防止装置。
【請求項７】
出入口を開閉する引戸が該出入口を閉じた状態で戸尻側表面に近接して起立する中方立を有す引戸装置であって、上記引戸と中方立との間に形成される隙間を塞ぐ為のモヘアにおいて、上記モヘアを中方立に取付けた場合に先端部が湾曲して引戸面に接触するような長さとしたことを特徴とする引戸の隙間防止用モヘア。
【請求項８】
上記モヘアの長さを１０ｍｍ以上とした請求項７記載の引戸の隙間防止用モヘア。
【請求項９】
上記モヘアを構成する線毛の材質をナイロン系の樹脂とした請求項７、又は請求項８記載の引戸の隙間防止用モヘア。
【請求項１０】
上記モヘアを一定断面の帯状ベースの中央部に植毛し、該ベースを概略コ型断面又は概略Ｃ型断面のモヘアベースガイドに形成した嵌合溝に嵌めた請求項７、請求項８、又は請求項９記載の引戸の隙間防止用モヘア。
【発明の詳細な説明】
【技術分野】
【０００１】
本発明は引戸装置において、建物壁の先端に取付ける中方立と引戸の間に形成される隙間を防止する装置及び隙間防止用モヘアに関するものである。
【背景技術】
【０００２】
図１０は従来の一般的な引戸装置を示す概略図である。同図の（イ）は引戸、（ロ）は建物の壁、（ハ）は戸袋壁、（ニ）は引戸枠体の縦枠、（ホ）は中方立をそれぞれ表している。同図に示している引戸（イ）は出入口（ヘ）を閉じているが、引戸（イ）が右側へスライドすれば、出入口（ヘ）は開口する。ところで、同図のように引戸（イ）が閉じた場合、出入口（ヘ）は閉鎖されるが、中方立（ホ）と引戸（イ）との間には隙間（ト）が介在し、この隙間（ト）を通じて室外から室内に光がもれたり、すきま風が吹き込むことで、室内にいる人々に不快感を与えるといった問題がある。
【０００３】
図１１は上記図１０のＡ−Ａ断面拡大図を示しているが、両縦枠（ニ），（ニ）の上端を上枠（チ）にて、下端を下枠（リ）にて連結した枠体が両壁（ロ）、（ロ）の間に形成した間口に嵌っている。引戸（イ）の上端は上枠（チ）のガイド溝（ヌ）に遊嵌し、引戸（イ）の下端は下枠（リ）に取付けたレール（ル）に載っている。そして、中方立（ホ）と引戸（イ）の間には一定幅の隙間（ト）を有し、引戸（イ）は中方立（ホ）に接することなく開閉することが出来る。
【０００４】
しかし、この隙間（ト）は、引戸（イ）を開閉操作するにあたって必要なクリアランスであり、この隙間（ト）が無いと引戸（イ）は中方立（ホ）に接して開閉操作がし難くなり、しかも引戸表面にキズが付く。その為に、該隙間（ト）は引戸（イ）と中方立（ホ）が接触しない必要最小限の大きさは必要となる。その為、中方立（ホ）の引戸側面に上記隙間（ト）の寸法と等しい長さのモヘアなどの気密材（隙間防止材）を取付け、該気密材を引戸面に接触させることで隙間（ト）を塞ぐことが出来る。
【０００５】
このように中方立（ホ）に気密材を取付けても、引戸（イ）に反りが発生した場合は該引戸（イ）と中方立（ホ）間の隙間（ト）が拡大して該気密材にて隙間を閉ざすことが出来ない。そこで、従来では引戸（イ）と中方立（ホ）との間に発生する隙間（ト）が変化した場合であっても対応できるようにした技術が開発されている。
【０００６】
例えば、特開平１０−３３９０７７号に係る「引戸構造」は、方立ての引戸側側面に嵌入溝を設けるとともに、基材と、基材の表面に設けられる閉そく体からなり、引戸の側面と方立ての側面の間のクリアランスを閉そくする閉そく部材を、方立てに設けられる嵌入溝にその突出量を調整可能に嵌入している。
また、特開２００９−１２７３２１号に係る「引き戸の中方立構造」は、建物の壁などに設けられる引き戸枠の中方立構造において、小さなトルクで広い範囲に隙間調整部材を動かすことができるコンパクトで取り扱いが容易な引き戸の中方立構造である。
【０００７】
ところで、上記モヘアを取付けた場合、モヘアの先端が引戸面に接触し、その為に該引戸を開閉する際にスライドするならば、モヘアと擦れる音が発生し、部屋に居る人は違和感を覚える。すなわち、モヘアは多数本の樹脂製線毛がベースに植毛され、モヘア先端が引戸面に接触した状態で取付けられている。引戸に反りが発生して隙間が拡大した場合であっても、上記従来文献に開示されているようにモヘアの位置を調整してモヘア先端が引戸面に接するような構造と成っていて、擦れ音の発生を防止することは出来ない。
【特許文献１】特開平１０−３３９０７７号に係る「引戸構造」
【特許文献２】特開２００９−１２７３２１号に係る「引き戸の中方立構造」
【発明の開示】
【発明が解決しようとする課題】
【０００８】
このように、中方立と引戸との間に生じる隙間を塞ぐ為に取付けたモヘアが引戸面に擦れて違和感を覚える音が発生する。本発明が解決しようとする課題はこの問題点であり、中方立と引戸との間の隙間を塞ぐ為に取付けたモヘアが引戸を開閉する際に擦れても音が発生しないようにした隙間防止装置及び隙間防止用モヘアを提供する。
【課題を解決するための手段】
【０００９】
本発明が対象とする引戸装置は、左右の壁面の間に形成された出入口を開閉する引戸を有し、この引戸が閉じた場合において該引戸の戸尻側面に近接する位置に中方立を起立した構造で、基本的な構成は従来の引戸装置と共通している。そして、中方立の引戸側面には全長にわたって凹溝を形成し、該凹溝にはモヘアを取付けている。したがって、中方立と引戸面との間に形成される隙間はモヘアによって塞がれる。
【００１０】
ところで、上記モヘアは従来のモヘアに比較して長く、その為に引戸面には先端ではなく湾曲した状態で接するようにしている。モヘアは多数本の線毛で構成され、細長い長尺材のベース中央部に植毛され、該ベースはモヘアベースガイドに取付けられた状態で中方立に形成した上記凹溝に嵌合して取付けられる。ここで、モヘアベースガイドは樹脂製で、その断面を概略コ型、又は概略Ｃ型とし、モヘアを植毛したベースはモヘアベースガイドに形成した嵌合溝に嵌って取付けられる。
【００１１】
上記モヘアベースガイドの概略コ型又は概略Ｃ型の具体的な断面形状は限定しないが、概略コ型の場合には底板部と両側板部、及び底板部と所定の間隔をおいて両側板部から押えリブを内側へ突出した形状としている。そして概略Ｃ型の場合には、同じく底板部と両側板部、及び底板部と所定の間隔をおいて両側板部から押えリブを内側へ突出した形状とし、さらに両側板部の先端には内側へ突出する先端リブを設けている。ここで、中方立にモヘアを取付ける為の具体的な構造は特に限定せず、上記凹溝を設けない場合もある。
【発明の効果】
【００１２】
本発明に係る引戸の隙間防止装置は、モヘアを中方立に取付けて引戸面との間に発生する隙間を塞いでいる。この点は従来の隙間防止装置と同じであるが、本発明のモヘアは長く成っていて、引戸面とはモヘア先端が接するのではなく、湾曲した状態で接している。すなわち、モヘアを構成する各線毛の表面が接触する。したがって、引戸の開閉に伴ってスライドする際、モヘアは線毛の表面が擦れ合うことから、擦れ音は発生しない。
【００１３】
一方、モヘアは帯状の長尺材から成るベース中央部に植毛され、このベースがモヘアベースガイドに形成した嵌合溝に嵌って取付けられ、そして該モヘアベースガイドは中方立に設けた凹溝に嵌合する。
ここで、モヘアベースガイドは概略コ型断面又は概略Ｃ型断面をしており、両側板部は先端側を広げた状態とすることで、凹溝に嵌ったモヘアベースガイドは固定され、凹溝から外れることはない。しかも、側板部外側面をノコ歯状の凹凸面とするならば、凹溝に嵌ったモヘアガイドベースはより強固に固定される。
一方、嵌合溝に嵌ったベースは、側板部から内側へ突出した押えリブによって押圧され、該ベースは嵌合溝から外れることなく固定される。
【図面の簡単な説明】
【００１４】
【図１】引戸装置の正面図。
【図２】本発明に係る引戸装置を表す実施例の横断面図。
【図３】本発明に係る引戸装置を表す実施例の縦断面図。
【図４】中方立に取付けたモヘアが引戸面に接触している状態。
【図５】中方立に形成した嵌合溝にモヘヤベースガイドが嵌り、モヘアベースガイドにモヘアを取付けている場合。
【図６】モヘアベースガイドとモヘアの組み合わせ構造。
【図７】モヘアを取付けるモヘアベースガイドの断面を示す実施例。
【図８】モヘアを取付けるモヘアベースガイドの断面を示す他の実施例。
【図９】図８のモヘアベースガイドにモヘアを取付けて中方立の凹溝に嵌める場合。
【図１０】一般的な引戸装置を示す概略図。
【図１１】図１０のＡ−Ａ断面図。
【発明を実施するための形態】
【００１５】
図１は引戸装置の正面図であり、同図の１は引戸、２は壁、３は門型枠体を示し、該門型枠体３の一方側には上記壁２が配置され、他方側には引戸１を装着している。同図は引戸１が閉じた状態であり、引戸１を右側ヘスライドすることで出入口を開くことが出来、引戸１が全開した場合には上記壁２と重なり合うようになる。
【００１６】
図２、図３は本発明に係る引戸装置の横断面及び縦断面を示す実施例である。同図の４は中方立を表し、該中方立４は壁２の木口に取着され、中方立にはモヘア５を取付けている。従来の一般的な引戸装置では引戸１と中方立４との間に隙間が介在しているが、本発明ではこの隙間を塞ぐために上記モヘア５を取付けている。
【００１７】
本発明が対象とする引戸装置としての形態は特に限定せず、片引き型式の引戸装置であっても、両引き型式の引戸装置であっても、また、上枠に取付けた上レールに引戸を吊設した型式の引戸装置であっても、下枠に敷設した下レールに引戸が載った型式の引戸装置であっても構わない。
同図に示す引戸装置は、図３に示すように枠体３を構成する上枠６に上レール７を取付け、この上レール７に沿って移動する吊車８を遊嵌し、該吊車８に引戸１が吊設され、そして引戸１の下端は床面に起立したガイド９によって拘束した構造と成っている。
【００１８】
ところで、本発明に係るモヘア５は図４に示すように中方立４に取着され、引戸１と中方立４との間に発生する隙間１０を塞ぐことが出来る。上記モヘア５は立方枠４に取着されているが、従来のモヘアより線毛は長く成っている。そして、該中方立４は壁２の表面に取付けたＬ形断面のケーシング１１の先端が中方立４に形成したケーシング溝１２に嵌合して取付けられている。
【００１９】
図５は中方立４にモヘア５を取付けた場合の断面を示しているが、該中方立５には凹溝を形成し、この凹溝にモヘアベースガイド１３が嵌って取付けられ、モヘアベースガイド１３にはモヘア５が取付けられている。
図６の（ａ）はモヘアベースガイド１３、（ｂ）はモヘア５、（ｃ）はモヘアベースガイド１３にモヘア５を取付けた場合を示している。モヘア５は多数の線毛から成り、これら線毛はベース１４に植毛されて延びている。
【００２０】
ベース１４は細い帯状の長尺材であって、該ベース中央にモヘア５が植毛されて起立しているが、このベース１４から延びるモヘア５の長さは１０ｍｍ以上と成っている。このモヘア５の長さは従来のモヘアに比べて長く成っている。
したがって、モヘア５が引戸面２７に接触するならば、前記図４に示すようにモヘア５の先端部は湾曲することが出来る。
【００２１】
引戸面２７にはモヘア５を構成する各線毛の先端ではなく側面が接触し、その為に引戸１の開閉時のスライドに伴って線毛の側面が擦れ合い、擦れ音は発生しない。ここで、モヘア５を構成する線毛の材質は一般に樹脂材であって特に限定はしないが、引戸面２７に接して曲がっても元に戻る復元性に優れたナイロン系が適している。
【００２２】
このように、モヘア５はモヘアベースガイド１３に取付けられるが、該モヘアベースガイド１３は中方立４に形成した凹溝に嵌合して取付けられる。そこで、このモヘアベースガイド１３が該凹溝から外れないような構造としている。
図７は上記モヘアベースガイド１３を示す断面図であり、その断面形状は概略コ型を成していて、底板部１５の両側には側板部１６，１６が起立している。そして、側板部１６，１６には押えリブ１７，１７が底板部１５との間に嵌合溝１８を設けると共に、底板部１５と平行を成して内側へ延びている。
【００２３】
ところで、上記側板部１６，１６の外側面１９，１９にはノコ歯を形成した凹凸面とし、中方立４の凹溝に嵌った際には凹溝内側面にノコ歯が噛み込んで固定される。また、ノコ歯を軟質樹脂製とすることで、凹溝内側面との間で大きな摩擦力が発生するようにすることも出来る。軟質樹脂製のノコ歯は凹溝に嵌ることで潰されて内側面に密着し、モヘアベースガイド１３は凹溝から外れることはない。
【００２４】
図８は別形態をしたモヘヤベースガイド２０の実施例である。同図に示すモヘヤベースガイド２０は両側板部２１，２１の先端に先端リブ２２，２２を設けたもので、その断面形状は概略Ｃ型としている。そして、上記側板部２１，２１には内側へ延びる押えリブ２４，２４を設けて底板部２３との間に嵌合溝２６を形成し、そして側板部２１，２１は底板部２３に対して垂直ではなく、先端が外方向へ広がるように傾斜している。
また、外側面２５，２５には軟質製のノコ歯を設け、凹溝に嵌った際に外れないようにしている。
【００２５】
図９は上記モヘアベースガイド２０を中方立４に設けた凹溝２６に嵌合する場合を示している。（ａ）はモヘアベースガイド２０を凹溝２６に嵌める最初の段階で、（ｂ）は凹溝２６にモヘアベースガイド２０が完全に嵌合した場合を表している。該モヘアベースガイド２０はその両側板部２１，２１の先端側が広がっている為に、（ｂ）に示すように凹溝２６に嵌合するならば、側板部２１，２１は内側へ撓み変形し、凹溝２６から離脱することなく固定される。
【００２６】
そして、両側板部２１，２１が内側へ撓み変形することで、該側板部２１，２１から内側へ突出している押えリブ２４，２４は下方（底板部２３）側へ撓むことが出来、その結果、嵌合溝２６に嵌めたモヘア５のベース１４が押えられる。したがって、モヘアベースガイド２０は凹溝２６に嵌って固定されると共に、モヘア５のベース１４は嵌合溝２６に嵌って固定される。
【００２７】
一方、図８のようにモヘヤベースガイド２０を概略Ｃ型断面として、両側板部２１，２１の先端に先端リブ２２，２２を設けるならば、モヘヤ５を構成する各線毛がバラケルことなく拘束される。すなわち、両先端リブ２２，２２の間に形成される空間内にモヘア５が収まり、それ以上に広がることは出来ない。その為に、隙間防止としての機能は向上する。先端リブ２２，２２が無いモヘアベースガイド１３の場合では、モヘア５の各線毛は両側板部１６，１６に拘束される空間まで広がり、バラケタ状態となる。
【符号の説明】
【００２８】
１   引戸
２   壁
３   枠体
４   中方立
５   モヘア
６   上枠
７   上レール
８   吊車
９   ガイド
10   隙間
11   ケーシング
12   ケーシング溝
13   モヘヤベースガイド
14   ベース
15   底板部
16   側板部
17   押えリブ
18   嵌合溝
19   外側面
20   モヘヤベースガイド
21   側板部
22   先端リブ
23   側板部
24   押えリブ
25   外側面
26   嵌合溝
27   引戸面
【図１】
2016211307.tif 000003
【図２】
2016211307.tif 000004
【図３】
2016211307.tif 000005
【図４】
2016211307.tif 000006
【図５】
2016211307.tif 000007
【図６】
2016211307.tif 000008
【図７】
2016211307.tif 000009
【図８】
2016211307.tif 000010
【図９】
2016211307.tif 000011
【図１０】
2016211307.tif 000012
【図１１】
2016211307.tif 000013